(57)【要約】【課題】  画像形成のためにどのようなコピー情報の設定が直前になされていても、利用者の意図しないコピーがされるのを防止できる画像形成装置を提供する。【解決手段】  利用者が通常コピーするときに最も多く設定されると思われるコピー情報をデフォルト値として予め設定しておく。利用者がコピーモードを選択するとともに原稿をセットし、簡単コピーボタンを操作すると、原稿を読み取り、直前に設定されているコピーのための設定情報に関係なく、予め設定されているデフォルト値に基づいて、原稿から読み取った画像データを例えば原稿と同一倍率で同一サイズの１枚の印字用紙に印字する。【選択図】      図３
2005203862.tif 000002
【特許請求の範囲】
【請求項１】
原稿の画像をコピーするコピーモードを有する画像形成装置であって、
前記原稿の画像を読み取って画像データを出力する画像読み取り手段と、
前記画像読み取り手段によって読み取られた画像データを印字する印字手段と、
任意に設定可能なコピー情報を記憶するコピー情報記憶手段と、
利用者がコピーするときに最も多く設定されると思われる所定のコピー情報をデフォルト値として予め記憶するデフォルト値記憶手段と、
前記コピー情報記憶手段に記憶されているコピー情報に基づくコピーを指令するための通常コピー指令手段と、
前記通常コピー指令手段とは別個に設けられ、簡単コピーを指令する簡単コピー指令手段と、
前記簡単コピー指令手段からの簡単コピー指令に応じて、前記コピー情報記憶手段に記憶されているコピー情報にかかわりなく、前記デフォルト値記憶手段に記憶されているデフォルト値に基づいて、前記画像読み取り手段によって読み取られた前記原稿からの画像データを前記印字手段により印字させる制御手段とを備えた、画像形成装置。
【請求項２】
前記デフォルト値記憶手段は、前記原稿と同一サイズであり、同一倍率で１枚のコピーを行うことを示す情報をデフォルト値として記憶する、請求項１に記載の画像形成装置。
【請求項３】
さらに、前記コピーモードとそれ以外の機能のモードとを選択するためのモード選択手段を含み、
前記制御手段は、前記モード選択手段によってコピーモード以外の機能のモードが選択されている状態で、前記簡単コピー指令手段から簡単コピー指令が与えられたことに応じて、前記デフォルト値記憶手段に記憶されているデフォルト値に基づいて、前記画像読み取り手段によって読み取られた前記原稿からの画像データを前記印字手段により印字させる、請求項１または２に記載の画像形成装置。
【発明の詳細な説明】
【技術分野】
【０００１】
この発明は画像形成装置に関し、例えば、コピー枚数や倍率などを設定可能な画像形成装置に関する。
【背景技術】
【０００２】
コピー機のような画像形成装置は、コピー時にコピー枚数や倍率やコピー用紙のサイズなど種々のコピー情報が設定可能にされている。ある利用者が種々のコピー情報を設定してコピーした後には、リセットキーを操作しない限り、その設定されたコピー情報はそのまま残っており、次の利用者がそのままコピーキーを操作すれば直前の設定したコピー情報に基づいてコピー動作が行われてしまう。
【０００３】
このため、コピーするたびに直前に設定されたコピー情報をその都度確認する必要があるが、業務の忙しさに追われていると、直前に設定されたコピー情報の確認を怠ることがしばしば起こり得る。このため、例えばＡ４サイズで１枚だけのコピーをしたいと思っていても、前に設定していた人のコピー情報が異なるサイズのコピー用紙に複数枚コピーするように設定されていれば、意図しないコピーが行われてしまう。
【０００４】
意図しないコピーが行われたときには、クリア／ストップボタンを操作すれば、コピー動作を停止できるが、すでに出力された紙やコピー料金は無駄になってしまう。また、コピー停止後に、利用者が希望する新たなコピー情報を設定する必要がある。
【０００５】
特開２００３−５１９０３号公報（特許文献１）には、簡単キーがＯＮされて簡単モードのとき、簡単キーがＯＦＦの通常モードで表示するフル機能のメニューよりも重要あるいは需要の大きいと考えられる機能のみを選択できるように、より簡略化したメニュー表示を行い、初心者などが迷わなくて済むようにすることが記載されている。
【特許文献１】特開２００３−５１９０３号公報（段落番号００４６、図８）
【発明の開示】
【発明が解決しようとする課題】
【０００６】
上記特許文献１では、より簡略化したメニュー表示を行うにすぎず、直前に設定した情報を確認し忘れた場合の対策は施されておらず、情報の設定を変更しなければならないことは従来と変わりはない。
【０００７】
それゆえに、この発明の主たる目的は、どのようなコピー情報の設定が直前になされていても、利用者の意図しないコピーを防ぐことができる画像形成装置を提供することである。
【課題を解決するための手段】
【０００８】
この発明は、原稿の画像をコピーするコピーモードを有する画像形成装置であって、原稿の画像を読み取って画像データを出力する画像読み取り手段と、読み取り手段によって読み取った画像データを印字する印字手段と、任意に設定可能なコピー情報を記憶するコピー情報記憶手段と、利用者がコピーするときに最も多く設定されると思われる所定のコピー情報をデフォルト値として予め記憶するデフォルト値記憶手段と、コピー情報記憶手段に記憶されているコピー情報に基づくコピーを指令するための通常コピー指令手段と、通常コピー指令手段とは別個に設けられて簡単コピーを指令する簡単コピー指令手段と、簡単コピー指令手段からの簡単コピー指令に応じて、コピー情報記憶手段に記憶されているコピー情報にかかわりなく、デフォルト値記憶手段に記憶されているデフォルト値に基づいて、画像読み取り手段によって読み取られた原稿からの画像データを印字手段により印字させる制御手段とを備える。
【０００９】
好ましくは、デフォルト値記憶手段は、原稿と同一サイズであり、同一倍率で１枚のコピーを行うことを示す情報をデフォルト値として記憶する。
【００１０】
好ましくは、コピーモードとそれ以外の機能のモードとを選択するためのモード選択手段を含み、制御手段はモード選択手段によってコピーモード以外の機能のモードが選択されている状態で、簡単コピー指令手段から簡単コピー指令が与えられたことに応じて、画像読み取り手段によって読み取られた原稿からの画像データをデフォルト値記憶手段に記憶されているデフォルト値に基づいて、印字手段により印字させる。
【発明の効果】
【００１１】
この発明によれば、利用者が通常コピーするときに最も多く設定されると思われるコピー情報をデフォルト値として予め記憶しておき、簡単コピー指令手段からの簡単コピー指令に応じて、画像読み取り手段によって読み取られた原稿からの画像データをデフォルト値に基づいて、印字手段により印字させるようにしたので、どのようなコピー情報の設定が直前になされていても、デフォルト値で原稿のコピーを行うことができる。したがって、利用者が意図しないコピーがされてしまうのを回避できる。
【発明を実施するための最良の形態】
【００１２】
図１はこの発明の一実施形態における画像処理装置としてのデジタル複合機の概略ブロック図であり、図２は図１に示した操作部の一例を示す正面図である。
【００１３】
図１において、デジタル複合機１は制御部１１と、ＤＲＡＭ１２と、ＦＡＸ通信部１３と、ネットワークＩＦ（インタフェース）部１４と、印字部１５と、画像読み取り部１７と、操作部１８とを含む。
【００１４】
画像読み取り部１７は光電変換素子の一例のＣＣＤ（図示せず）を備えており、原稿の画像データを読み取ることができる。
【００１５】
操作部１８は図２に示すように入力部１９と表示部２０とを含み、入力部１９は、ＦＡＸの送信スタートやコピースタートなどを指示するスタートボタン１９１と、実行中の処理を全面的に解除するためのストップ／クリアボタン１９２と、リセットを指示するためのリセットボタン１９３と、ファクス（ＦＡＸ）送り先の番号やコピー枚数などを指示するテンキー１９４と、コピー，プリンタ，スキャナ，ファクスの各モードを選択する選択キー１９５と、簡単コピーを指示するための簡単コピーボタン１９６などを含む。表示部２０は液晶パネルにより構成されており、デジタル複合機１から利用者への情報を表示できるようになっている。この液晶パネルはコピー用紙のサイズや倍率の設定などを行う入力部１９の一部としても機能する。
【００１６】
制御部１１は、簡単コピーボタン１９６が操作されたときにデフォルト値でコピーするための情報を予め記憶しているＲＯＭ１６を含む。デフォルト値の情報は、例えばコピー枚数が１枚，倍率が原稿と同一倍率，コピー用紙が原稿と同一サイズなどの簡単なコピー、すなわち利用者が通常コピーするときに最も多く設定されると思われる情報である。
【００１７】
制御部１１は、画像読み取り部１７から与えられるデータ，ＦＡＸ通信部１３またはネットワークＩＦ部１４から与えられるデータをＤＲＡＭ１２に圧縮符号化して書き込みおよびＤＲＡＭ１２に書き込んだデータを読み出し、伸張復号化して出力する。また、制御部１１は、ＦＡＸ通信部１３による通信のための制御と、ネットワークＩＦ部１４による通信のための制御と、印字部１５による印字のための制御と、画像読み取り部１７の画像読み取りのための制御と、操作部１８の入力部１９からのデータを入力するための制御と、操作部１８の表示部２０にデータを表示するための制御などを行う。
【００１８】
なお、図１において太線の矢印は画像データの流れを示しており、細線の矢印は制御信号または制御データの流れを示している。
【００１９】
図３はこの発明の一実施形態における制御部１１の具体的な動作を説明するためのフローチャートである。
【００２０】
次に図１〜図３を参照して、この発明の一実施形態の具体的な動作について説明する。
【００２１】
制御部１１はステップＳＰ（図示ではＳＰと略称する。）１において、プリンタモードであるか否かを判別する。プリンタモードであればステップＳＰ５に進むが、プリンタモードでないとき、すなわちコピーモード，スキャナモード，ファクスモードのいずれかであることを判別したときには原稿を読み取る必要があるので、ステップＳＰ２において原稿がセットされているか否かを判別する。
【００２２】
原稿がセットされていなければセットされるまで待機するが、原稿がセットされていれば、ステップＳＰ３に進む。ステップＳＰ３において、コピーモードが選択されているか否かを判別し、選択キー１９５によってコピーモードが設定されていることを判別すればステップＳＰ５に進む。コピーモードが選択されていなければスキャナまたはファクスモードであると判別し、ステップＳＰ４において、宛先が設定されているか否かを判別する。スキャナまたはファクスモードでは必ず宛先が設定されていなければならないので設定されるまで待機し、設定されればステップＳＰ５に進む。
【００２３】
ステップＳＰ５において、スタートボタン１９１が押し下げられているか否かを判別する。スタートボタン１９１が押し下げられていればステップＳＰ１０に進むが、スタートボタン１９１が押し下げられていないことを判別すると、ステップＳＰ６において簡単コピーボタン１９６が押し下げられているか否かを判別する。簡単コピーボタン１９６が押し下げられていなければ通常のコピーであり、コピーのための詳細情報を設定する必要があるので、ステップＳＰ９に進む。
【００２４】
ステップＳＰ６において、簡単コピーボタン１９６が押し下げられていることを判別すれば、ステップＳＰ７においてデフォルト値をＲＯＭ１６から読み出し、ステップＳＰ８において、簡単コピーを開始するために画像読み取り部１７によって原稿を順次読み取らせて原稿の画像データをＤＲＡＭ１２に書き込み、ＤＲＡＭ１２に書込んだ画像データを読み出し、デフオルト値に基づいて原稿と同一サイズ，同一倍率で１枚の印字用紙に画像データを印字部１５によって印字させた後、図示しないメインルーチンにリターンする。
【００２５】
ステップＳＰ６において、簡単コピーボタン１９６が押し下げられていないことを判別したときには、ステップＳＰ９において、詳細情報が設定されているか否かを判別し、詳細情報がセットされていないことを判別すれば、メインルーチンにリターンする。詳細情報の設定は、利用者が通常のコピーを行う場合に、テンキー１９４を操作してコピー枚数を設定し、表示部２０の液晶パネルからコピー用紙のサイズや倍率などの詳細なコピー情報を入力したときに行われ、入力された詳細情報はＤＲＡＭ１２に記憶される。
【００２６】
ステップＳＰ９において、詳細情報が設定されるとステップＳＰ５に戻り、ステップＳＰ５において、スタートボタン１９１が操作されたことを判別すると、ステップＳＰ１０においてコピーモードが設定されているか否かを判別する。コピーモードが選択されていれば、ステップＳＰ８においてコピーを開始させる。すなわち、画像読み取り部１７によって原稿を順次読み取らせて原稿の画像データをＤＲＡＭ１２に書き込み、ＤＲＡＭ１２に書き込んだ画像データを読み出し、印字部１５に出力して設定された枚数，倍率で設定されたサイズの印字用紙に画像データを印字させてメインルーチンにリターンする。
【００２７】
ステップＳＰ１０においてコピーモードが設定されていないことを判別したときは、ステップＳＰ１１においてスキャナまたはファクスモードであるか否かを判別する。スキャナまたはファクスモードであることを判別したときには、ステップＳＰ１２において、スキャンを開始する。すなわち、画像読み取り部１７によって原稿を順次読み取らせて原稿の画像データをＤＲＡＭ１２に書き込み、ＤＲＡＭ１２に書き込んだ画像データ読み出し、ネットワークＩＦ部１４によりネットワーク４０を介して、前述のステップＳＰ４において設定された宛先に画像データを送り出して、メインルーチンにリターンする。
【００２８】
ステップＳＰ１１においてスキャナまたはファクスモードでないことを判別すると、ステップＳＰ１３においてプリントを開始する。すなわち、ネットワーク４０には図示しないが、パーソナルコンピュータなどが接続されていて、これらの機器から印字データがネットワーク４０上に出力されている。制御部１１は、ネットワークＩＦ部１４を介して印字データをＤＲＡＭ１２に書き込み、ＤＲＡＭ１２に書き込んだ印字データを読み出し、印字部１５に出力して印字用紙に印字し、メインルーチンにリターンする。
【００２９】
上述のごとくこの実施形態によれば、例えばＡ４サイズで１枚だけのコピーをしたいと希望しているときに、直前に異なるサイズで複数枚コピーするようなコピー情報がＤＲＡＭ１２に記憶されていても、簡単コピーボタン１９６を操作したときには、ＲＯＭ１６からデフォルト値を読み出して原稿と同一サイズ，同一倍率で１枚の印字用紙に原稿をコピーすることができるので、意図しないコピーが行われてしまうのを防止できる。
【００３０】
また、１枚のコピーをするときには、簡単コピーボタン１９６を操作するように習慣付けておけば誤操作を妨げることができるので、コピー用紙やコピー料金の無駄遣いを回避できる。
【００３１】
また、簡単コピーボタン１９６を操作するだけでデフォルト値に基づいて、原稿と同一サイズ，同一倍率で１枚の印字用紙にコピーが可能になるので、初心者にとっても使いやすいものになる。
【００３２】
なお、デフォルト値は簡単コピーボタン１９６が操作されたときのみＲＯＭ１６から読み出され、それ以前にコピーのための詳細情報が設定されていれば、その詳細情報はＤＲＡＭ１２に保持されており、消去されることはない。したがって、簡単コピーボタン１９６を操作してデフォルト値でコピーした後、スタートボタン１９１を操作したときには、ステップＳＰ５，ＳＰ６，ＳＰ９に進み、以前にＤＲＡＭ１２に記憶した詳細情報で再びコピーすることが可能になり、簡単コピーボタン１９６を操作してデフォルト値でコピーした後、再度コピーのための詳細情報を改めて設定しなければならないという煩わしさがない。
【００３３】
また、選択キー１９５によってプリンタモードが選択されている状態で簡単コピーボタン１９６を押し下げると、ステップＳＰ１，ＳＰ５〜ＳＰ８の処理を行うので簡単コピーの処理が行われる。同様にして、選択キー１９５によりスキャナまたはファクスモードが選択されている状態で簡単コピーボタン１９６を押し下げると、ステップＳＰ１，ＳＰ２，ＳＰ３，ＳＰ４を介してＳＰ５〜ＳＰ８の処理が行われるので、簡単コピーの処理が実行される。すなわち、いずれのモードが選択されている状態においても簡単コピーボタン１９６が押し下げられれば簡単コピーを優先的に行うことができるので、初心者がモードの選択を誤ってもコピー動作を実行でき、操作に戸惑うこともない。
【００３４】
さらに、上述の説明では、デフォルト値をＲＯＭ１６に予め記憶するようにしたが、不揮発性メモリを設け、操作部１９の操作により任意のデフォルト値を設定可能なように構成してもよい。
【００３５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３６】
【図１】この発明の一実施形態における画像処理装置としてのデジタル複合機の概略ブロック図である。
【図２】図１に示した操作部の一例を示す正面図である。
【図３】この発明の一実施形態における制御部の具体的な動作を説明するためのフローチャートである。
【符号の説明】
【００３７】
１  画像形成装置、１１  制御部  、１２  ＤＲＡＭ、１３  ＦＡＸ通信部、１４  ネットワークＩＦ部、１５  印字部、１６  ＲＯＭ、１７  画像読み取り部、１８  操作部、１９  入力部、２０  表示部、１９１  スタートボタン、１９５  選択キー、１９６  簡単コピーボタン。
【図１】
2005203862.tif 000003
【図２】
2005203862.tif 000004
【図３】
2005203862.tif 000005